(57)【特許請求の範囲】
【請求項１】
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記適応制御手段は、
前記誤差検出手段により検出される、前記複数の記録信号検出手段のそれぞれのチャンネルに対応した誤差に応じて、前記それぞれのチャンネルに対応した前記フィルタ手段の複数のフィルタ特性を、前記それぞれのチャンネルごとに独立に調整する複数の前記適応制御手段であり、
前記リセット手段は、
前記フィルタリセット動作として、前記それぞれのチャンネルに対応した誤差に応じて、前記複数のフィルタ特性を、前記複数の適応制御手段を介して前記それぞれのチャンネルごとに独立に前記所定の初期特性に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力される前記異常誤差量検出信号が発生するときのみリセット動作を許可することを特徴とする、信号再生装置。
【請求項２】
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記自動ゲイン制御手段は、
前記誤差検出手段により検出される、前記複数の記録信号検出手段のそれぞれのチャンネルに対応した誤差に応じて、前記それぞれのチャンネルに対応した前記振幅調整手段の複数の増幅率を、前記それぞれのチャンネルごとに独立に調整する複数の前記自動ゲイン制御手段であり、
前記リセット手段は、
前記増幅率リセット動作として、前記それぞれのチャンネルに対応した誤差に応じて、前記複数の増幅率を、前記複数の自動ゲイン制御手段を介して前記それぞれのチャンネルごとに独立に前記所定の初期増幅率に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力される前記異常誤差量検出信号が発生するときのみリセット動作を許可することを特徴とする、信号再生装置。
【請求項３】
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記周波数・位相調整手段は、
前記誤差検出手段により検出される、前記複数チャンネルのそれぞれのチャンネルに対応した誤差に応じて、前記それぞれのチャンネルに対応した前記クロック発生手段の複数のクロック周波数を、前記それぞれのチャンネルごとに独立に調整する複数の前記周波数・位相調整手段であり、
前記リセット手段は、
前記周波数リセット動作として、前記それぞれのチャンネルに対応した誤差に応じて、前記複数のクロック周波数を、前記複数の周波数・位相調整手段を介して前記それぞれのチャンネルごとに独立に前記所定の初期周波数に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力される前記異常誤差量検出信号が発生するときのみリセット動作を許可することを特徴とする、信号再生装置。
【請求項４】
前記リセット手段は、前記リセット動作を行ったときに、所定の時間リセット動作を禁止するリセット抑制手段を有することを特徴とする請求項１から３のいずれかに記載の信号再生装置。
【発明の詳細な説明】
【０００１】
【発明の属する技術分野】
本発明は、記録媒体に記録された信号を再生する再生装置に関し、特に、ビデオ信号をディジタル信号に変換して磁気記録媒体に記録した信号を再生するための信号再生装置に関するものである。
【０００２】
【従来の技術】
近年、磁気記録再生においては、磁気記録媒体に対する記録再生特性の振幅歪みや位相歪み等を補償するための等化器（イコライザ）が用いられているが、このような磁気記録再生のイコライザにおいても通信で用いられているような適応等化方式が採用されるようになってきている。
【０００３】
通信における適応等化は、はじめ電話回線を利用した高速データ伝送を行うための技術として開発されてきたものである。電話回線では、回線の接続状態により伝送路特性が変化する。このため固定イコライザを用いたのでは伝送路特性を補正しきれず、適応的にイコライザの特性を調整する必要が生じる。しかし、電話回線では、ある１つの接続状態における伝送特性にイコライザのフィルタ特性が収束すれば、その後急激に特性が変化することはない。
【０００４】
ところが、このような適応等化を磁気記録再生へ適用したとき、特にビデオ信号をディジタル信号に変換し、磁気テープに記録再生するようなディジタルＶＴＲ（ビデオテープレコーダ）では、ＶＴＲの再生モードの変化（通常再生からサーチや早送りから巻き戻しなど）や磁気ヘッドの目詰まり及びドロップアウト等によって、再生特性が不安定になったり、極端に再生特性が変化したりする。このような状況下で適応等化の処理を動作させると、フィルタのタップ係数の更新が正しく行われず、タップ係数の系列が発散するような不具合が生ずることがある。そして再生状態が正常に戻ったとしても、一旦フィルタのタップ係数が発散すると復帰できない不具合が生じてしまう。
【０００５】
従来、このような問題に対しては、再生データの同期情報（以下シンクデータ）やＩＤ情報の検出を行い、それら情報が所定の時間以上異常であればフィルタのタップ係数を初期の所定の値に戻すようなリセットを行っていた。
【０００６】
以下、図面を参照して、従来例について説明する。
【０００７】
図６は、従来例における信号再生装置を示すブロック図である。この図６において、磁気テープに記録された磁気記録信号は、ＶＴＲのメカブロック９８内の磁気ヘッド９０により電気信号に変換された後、再生アンプ９１により増幅され、イコライザの主要部となるフィルタ９３に供給される。このフィルタ９３としては、一般的にいわゆるＦＩＲフィルタあるいはトランスバーサルフィルタが用いられ、そのフィルタ特性が後述する適応制御部９６により適応的に調整されるようになっている。このフィルタ９３からの出力信号は、コンパレータ９４によりレベル比較がなされた後、復号回路９９で記録時のデータ系列への復号が行われる。もとの記録データに復号された信号は、シンク検出１００によってシンクデータ及びＩＤデータの検出がなされた後、後段に設けられる誤り訂正等の信号処理回路によって、映像及び音声データ等にもどされる。
【０００８】
一方、減算器（誤差検出器）９５は、コンパレータ９４の出力から、イコライザのフィルタ９３の出力を減算することで誤差を取り出し、この誤差を適応制御部９６に送っている。また、適応制御部９６には、フィルタ９３の入力信号も同時に入力されており、減算器９５からの誤差の信号パワーを最小とするようにフィルタ９３のタップ係数を修整、更新することで、再生信号の特性が検出特性に最も近い形となるようにイコライザ特性を調整する。すなわち、フィルタ９３と適応制御部９６とでいわゆる適応フィルタを構成している。
【０００９】
また、シンク検出１００で検出されたシンク・ＩＤ情報は、システムコントローラ１０１に送られ、そこで所定の時間以上シンク又はＩＤ情報が検出されなければ、上記適応フィルタのタップ係数を所定の初期値に戻すようなリセットが行われる。
【００１０】
つまり、従来の再生装置では、所定の時間再生データよりシンクデータが検出できなければ、再生状態の異常をきっかけとして適応フィルタのタップ系列に不具合が生じたと判断する。そして、それぞれのタップ係数を決められた初期値に戻すことによって、再生状態が正常に戻っていればフィルタ特性は正しく収束できるように構成されている。
【００１１】
【発明が解決しようとする課題】
上記のように、適応フィルタに用いる適応制御は、ＶＴＲの再生モードの変化（通常再生からサーチや早送りから巻き戻しなど）や磁気ヘッドの目詰まり及びドロップアウト等によって再生特性が不安定になったり、極端に再生特性が変化したときに、フィルタのタップ係数の更新が正しく行われず、タップ係数の系列が発散してしまうことがある。そして再生状態が正常に戻ったとしても、一旦フィルタのタップ係数が発散すると復帰できない不具合が生じてしまう。そして、上記のような従来例による構成では、適応フィルタ以外の回路ブロック及び伝送系で異常があるためにシンク・ＩＤ情報が検出されない場合でも、適応フィルタのタップ係数をリセットするといった誤動作が起きてしまう。また、シンク等のデータ情報が異ったフォーマットに対応するためには新たにシンク・ＩＤ情報のデータテーブルを追加するなどのシステムコントローラの変更が必要となり、回路の汎用性を著しく損なっていた。
【００１２】
本発明は、従来のこのような課題を考慮し、適応フィルタのタップ係数が何らかの原因で発散した場合にも、発散してしまったタップ係数を正常に戻し、適応フィルタの適応制御動作を速やかに復帰・収束することが可能であり、また、従来例で問題となるような適応フィルタ以外の回路ブロックに異常がある場合に適応フィルタのタップ係数をリセットするような誤動作が発生することもなく、従来例に比べ極めて汎用性が高く小規模回路で構成できる信号再生装置を提供することを目的とするものである。
【００１３】
【課題を解決するための手段】
請求項１の本発明は、
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記適応制御手段は、
前記誤差検出手段により検出される、前記複数の記録信号検出手段のそれぞれのチャンネルに対応した誤差に応じて、前記それぞれのチャンネルに対応した前記フィルタ手段の複数のフィルタ特性を、前記それぞれのチャンネルごとに独立に調整する複数の前記適応制御手段であり、
前記リセット手段は、
前記フィルタリセット動作として、前記それぞれのチャンネルに対応した誤差に応じて、前記複数のフィルタ特性を、前記複数の適応制御手段を介して前記それぞれのチャンネルごとに独立に前記所定の初期特性に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力され前記る異常誤差量検出信号が発生するときのみリセット動作を許可することを特徴とする、信号再生装置である。
【００１４】
請求項２の本発明は、
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記自動ゲイン制御手段は、
前記誤差検出手段により検出される、前記複数の記録信号検出手段のそれぞれのチャンネルに対応した誤差に応じて、前記それぞれのチャンネルに対応した前記振幅調整手段の複数の増幅率を、前記それぞれのチャンネルごとに独立に調整する複数の前記自動ゲイン制御手段であり、
前記リセット手段は、
前記増幅率リセット動作として、前記それぞれのチャンネルに対応した誤差に応じて、前記複数の増幅率を、前記複数の自動ゲイン制御手段を介して前記それぞれのチャンネルごとに独立に前記所定の初期増幅率に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力される前記異常誤差量検出信号が発生するときのみリセット動作を許可することを特徴とする、信号再生装置である。
【００１５】
請求項３の本発明は、
記録媒体に記録された磁気信号を、複数チャンネルの電気信号としてそれぞれ検出する複数の記録信号検出手段と、
前記複数チャンネルの電気信号をチャンネル切り替え信号によって時分割多重して、再生信号を生成する切り替え手段と、
前記再生信号の振幅が所定の振幅レベルになるように増幅率を調整する振幅調整手段と、
前記振幅調整手段の出力信号の特性を補償するためのフィルタ特性を有するフィルタ手段と、
前記フィルタ手段からの出力信号を復号する復号手段と、
前記復号手段の入出力信号から誤差を検出する誤差検出手段と、
各信号処理手段が離散的に処理するための再生信号に同期したクロックを生成するクロック発生手段と、
前記誤差検出手段により検出される誤差に応じて前記フィルタ手段の特性を適応的に調整する適応制御手段と、
前記誤差に応じて前記振幅調整手段の増幅率を自動的に所定の振幅量に調整する自動ゲイン制御手段と、
前記誤差検出手段により検出される誤差に応じて前記クロック発生手段のクロック周波数と位相を再生信号に同期するように適宜調整する周波数・位相調整手段と、
前記適応制御手段を介して前記フィルタ手段の特性を所定の初期特性に戻すフィルタリセット動作と、前記自動ゲイン制御手段を介して前記振幅調整手段の増幅率を所定の初期増幅率に戻す増幅率リセット動作と、前記周波数・位相調整手段を介して前記クロック発生手段の出力するクロック周波数を所定の初期周波数に戻す周波数リセット動作の３つのリセット動作のうち少なくとも２つ以上を、前記誤差検出手段により検出される誤差に応じて同時に行うリセット手段とを備え、
前記周波数・位相調整手段は、
前記誤差検出手段により検出される、前記複数チャンネルのそれぞれのチャンネルに対応した誤差に応じて、前記それぞれのチャンネルに対応した前記クロック発生手段の複数のクロック周波数を、前記それぞれのチャンネルごとに独立に調整する複数の前記周波数・位相調整手段であり、
前記リセット手段は、
前記周波数リセット動作として、前記それぞれのチャンネルに対応した誤差に応じて、前記複数のクロック周波数を、前記複数の周波数・位相調整手段を介して前記それぞれのチャンネルごとに独立に前記所定の初期周波数に戻し、
前記リセット手段は、
前記誤差検出手段が出力する誤差信号の絶対値をとることにより誤差信号量を検出する誤差信号量検出手段と、
前記誤差信号量検出手段の出力信号の高周波成分を除去するローパスフィルタ手段と、
前記ローパスフィルタ手段の出力信号の信号レベルが所定のレベル以上の時に異常誤差量検出信号を出力する異常誤差量検出手段と、
前記異常誤差量検出手段から出力される前記異常誤差量検出信号が、所定の時間以上出力されたときのみリセット動作を許可するリセット抑制手段とを少なくとも有し、
前記異常誤差量検出手段から出力される前記異常誤差量検出信号に基づいてリセット動作を行い、
前記リセット手段は、
前記記録信号検出手段に対応する前記それぞれのチャンネルの前記再生信号毎に独立に所定のリセット動作を行い、かつ前記異常誤差量検出手段から出力される前記異常誤差量検出信号が前記チャンネル切り換え信号の切り換え周期に対して所定の割合の時間、出力されたときのみリセット動作を許可するリセット抑制機能を有するものであって、
前記チャンネル切り換え信号の切り換え周期が変化しても、前記変化した切り替え周期に応じた、常に同じ前記所定の割合の時間だけ前記異常誤差量検出手段から出力される前記異常誤差量検出信号が発生するときのみリセット動作を許可することを特徴とする、信号再生装置である。
【００１７】
請求項４の本発明は、前記リセット手段は、前記リセット動作を行ったときに、所定の時間リセット動作を禁止するリセット抑制手段を有することを特徴とする請求項１から３のいずれかに記載の信号再生装置である。
【００１８】
この信号再生装置によれば、請求項１から３のいずれかのリセット動作をリセット抑制手段によって、１度リセット動作を行ったら所定の時間リセット動作を禁止する。
【００１９】
つまり、フィルタの特性が一度初期値に戻されると、あらたに最適な特性に収束するまでの間、しばらく誤差信号のレベルが正常でない場合がある。このような収束途中であるのにかかわらず、リセット手段が誤検出してしまい再びフィルタ特性をリセットするような誤動作が発生することがある。
【００２０】
この信号再生装置によれば、リセット手段がリセット動作を行った後、初期特性から最適特性に収束するために十分な所定の時間だけリセット手段のリセット動作を禁止するリセット抑制手段を有することで、誤動作を確実に回避し、より安定的に発散してしまったフィルタ特性を速やかに復帰せしめる信号再生装置を提供できる。
【００２２】
この信号再生装置によれば、請求項１から５記載のリセット手段が、異常誤差量検出信号に基づいて請求項１から５記載のリセット動作を行う。
【００２３】
つまり、フィルタ手段の特性や振幅調整手段の増幅率やクロック発生手段のクロック周波数及び位相が、瞬間的に異常をきたし、誤差信号が増加してもローパスフィルタ手段によって、その変化は緩和され所定のレベルを越えないため異常誤差量検出信号が出力されず、リセット動作が行われない。すなわち、この構成によって、フィルタ手段や振幅調整手段やクロック発生手段の瞬間的な状態の悪化が発生しても、リセット動作が行われないような、安定で確実なリセット手段を備えた信号再生装置を提供できる。また、上記構成は、ローパスフィルタとコンパレータの非常に簡単な回路構成で実現できるため、装置をローコストで実現できる。
【００２５】
例えばＶＴＲ等の信号再生装置では、磁気ヘッドの瞬間的な目詰まりやテープのドロップアウトなどによって、一時的に誤差信号のレベルが異常になり、リセット手段がリセット動作を行ってしまうような誤動作が発生する。普通、適応制御手段がフィルタ手段の特性を適応的に調整する調整動作の応答速度は遅いため、瞬間的な短い時間に再生信号の異常が発生しても、フィルタ手段の特性の変化が微少であるため、適応制御によって特性が発散することはない。つまり、この信号再生装置によればフィルタ手段等の特性が初期特性からほぼ最適特性に収束するのに必要な所定の時間以上に、異常誤差量検出信号が出力されたときのみリセット動作を許可することで、前述の誤動作を確実に回避し、発散してしまったフィルタ特性や振幅調整手段の増幅率やクロック発生手段の周波数をより安定的かつ速やかに復帰せしめる信号再生装置を提供できる。
【００２７】
例えばＶＴＲ等の信号再生装置では、早送りや巻き戻しのサーチ時において、シリンダ回転数を増減することで再生レートをほぼ一定に保つように制御される。このため、再生信号を磁気ヘッドごとに切り換えるヘッドスイッチ信号の周期も、それに応じて変化する。これに対して、テープのドロップアウト等の再生状態の異常はテープ上でランダムに発生する。シリンダの一回転で磁気ヘッドが走査する時間が長ければ、それだけ多くの再生状態の異常が検出され、リセット信号が出力されやすくなる。逆に、ヘッドスイッチ周期が短くなりシリンダの一回転で磁気ヘッドが走査する時間が短くなれば再生状態の異常の検出は少なくなり、リセット信号が出力されにくくなる。この信号再生装置によれば、前述のようなヘッドスイッチの周期のちがいによるリセット信号の出力状態の違いを解消することができる。つまり、リセット手段が出力するリセット信号が、ヘッドスイッチの周期が変化しても、その周期に応じて所定の同じ割合の時間分だけ発生するときのみリセット動作を許可するリセット抑制手段を有することで、サーチ時等に発生するリセット信号の出力状態の違いを解消し、より安定的に発散してしまったフィルタ特性を速やかに復帰せしめる信号再生装置を提供できる。
【００２８】
また、本発明に関連する第１の発明は、再生信号の特性を補償するフィルタ手段と、そのフィルタ手段からの出力信号を復号する復号手段と、その復号手段の入出力信号から誤差を検出する誤差検出手段と、その検出された誤差に応じてフィルタ手段の特性を適応的に調整する適応制御手段と、誤差に基づいて前記フィルタ手段の特性を所定の初期特性に戻すリセット動作を適応制御手段を介して行うリセット手段とを備えた信号再生装置である。
【００２９】
この信号再生装置によれば、誤差の信号状態において所定の異常が認められとき、フィルタ手段の特性を所定の初期特性に戻すことによって、何らかの原因で不具合が発生した適応フィルタの特性を復帰させ、速やかに収束せしめることができる。
そして、従来例のようなシンク・ＩＤ情報の“ある”・“なし”でフィルタ手段の特性をリセットする構成でないので、フィルタ手段以外の回路ブロックの異常によって誤ってフィルタ手段の特性をリセットする誤動作が発生しない。さらに、再生データよりシンク・ＩＤ情報を検出する必要がなく、異なるフォーマットに対して共通の回路及びシステム構成で実現でき、非常に汎用性の優れたリセット手段を簡単かつ小規模な回路で構成可能な信号再生装置を提供できる。
【００３０】
また、本発明に関連する第２の発明は、再生信号の振幅が所定の振幅レベルになるように振幅調整する振幅調整手段と、その振幅調整手段の出力信号を復号する復号手段と、その復号手段の入出力信号から誤差を検出する誤差検出手段と、その検出された誤差に基づいて振幅調整手段の増幅率を所定の初期値に戻すリセット動作を行うリセット手段とを備えた信号再生装置である。
【００３１】
この信号再生装置によれば、誤差の信号状態において所定の異常が認められとき、振幅調整手段の増幅率を所定の値に戻すことによって、何らかの原因で不具合が発生した振幅調整手段を復帰させ、速やかに安定せしめることができる。
また、このような再生装置においては、本発明に関連する第１の発明のフィルタ手段と振幅調整手段との両方を備え、共通の誤差検出手段により、それぞれを制御する構成が用いられることが多い。この時、上記フィルタ手段の特性が発散し、誤差のレベルが異常になったときは、同時に振幅調整手段の制御信号も異常になっている。つまり、リセット手段によってフィルタ手段の特性を初期値に戻しても、振幅調整手段の増幅率が異常であるために、再びフィルタ手段の特性が発散してしまい、正常な適応制御を阻害することがある。本発明は、誤差手段の出力に所定の異常が認められたとき、振幅調整手段の増幅率もリセット手段により、初期値に戻すことによって、フィルタ手段と振幅調整手段との両方を備えた場合であっても、より安定的かつ速やかにフィルタ手段の特性及び振幅調整手段の増幅率を収束させることができる。
【００３２】
また、本発明に関連する第３の発明は、再生信号を復号する復号手段と、再生信号に同期したクロックを生成するクロック発生手段と、復号手段の入出力信号から誤差を検出する誤差検出手段と、その検出された誤差に基づいてクロック発生手段が出力するクロックの周波数を所定の初期周波数に戻すリセット動作を行うリセット手段とを備えた信号再生装置である。
【００３３】
この信号再生装置によれば、誤差の信号状態において所定の異常が認められたとき、クロック発生手段のクロック周波数を所定の初期周波数に戻すことによって、何らかの原因で不具合が発生したクロック発生手段を復帰させ、速やかに安定せしめることができる。
また、このような信号再生装置においては、本発明に関連する第１の発明のフィルタ手段とクロック発生手段との両方を備え、共通の誤差検出手段により、それぞれを制御する構成が用いられることが多い。この時、上記フィルタ手段の特性が発散し、誤差のレベルが異常になったときは、同時にクロック発生手段の制御信号も異常になっている。つまり、リセット手段によってフィルタ手段の特性を初期値に戻しても、クロック発生手段の周波数及び再生データとの位相が異常であるために、再びフィルタ手段の特性が発散してしまい、正常な適応制御を阻害することがある。本発明は、誤差手段の出力に所定の異常が認められたとき、クロック発生手段の周波数もリセット手段でもって、初期の周波数に戻すことによって、フィルタ手段とクロック発生手段との両方を備えた場合であっても、より安定的かつ速やかにフィルタ手段の特性及びクロック発生手段の発振周波数を収束させることができる。
【００３４】
また、本発明に関連する第４の発明は、記録媒体に記録された信号から第１の再生信号をそれぞれ検出する複数の記録信号検出手段と、その複数の記録信号検出手段が出力する複数の第１の再生信号を、切り換え信号によって切り換えて時分割多重し、第２の再生信号を出力する切り換え手段と、第２の再生信号の特性を、各記録信号検出手段に対応する再生信号毎に独立に補償するフィルタ手段と、そのフィルタ手段からの出力信号を復号する復号手段と、その復号手段の入出力信号から各記録信号検出手段に対応する再生信号毎の誤差を検出する誤差検出手段と、その検出された各誤差毎に応じて、フィルタ手段の特性を各記録信号検出手段に対応する再生信号毎に独立に適応的に調整する適応制御手段と、各誤差毎に基づいて、フィルタ手段の特性を各記録信号検出手段に対応する再生信号毎に独立に所定の初期特性に戻すようなリセット動作を適応制御手段を介して行うリセット手段とを備えた信号再生装置である。
【００３５】
この信号再生装置によれば、記録信号検出手段ごとにフィルタ特性を最適化でき、かつ記録信号検出手段ごとに誤差の異常を検出し、フィルタ特性をリセットできる。
１８０度対向に磁気ヘッドが搭載されたヘリカルスキャン型ＶＴＲを例に説明する。このＶＴＲの回転シリンダに搭載された１つの磁気ヘッド（以下“Ｌヘッド”）が磁気テープに接しているとき、対向するもう一方の磁気ヘッド（以下“Ｒヘッド”）は磁気テープに接していない。このため、再生信号は磁気テープに接している磁気ヘッド（記録信号検出手段）の再生信号のみをヘッドスイッチ信号によって切り換えて、時分割多重する。本発明に関連する第４の発明の信号再生装置によれば、この再生信号をフィルタ手段と適応制御手段でもって、各磁気ヘッドの再生信号ごとに周波数特性を補償する。この周波数特性の適応的な調整動作は、フィルタ手段の出力を復号するときの誤差から各磁気ヘッドの再生信号ごとに生成される制御信号をもとに行われる。これにより、磁気ヘッドの性能の違いやアジマス差のために生じるヘッドごとの特性ばらつきを考慮した最適な等化が可能となる。また、適応制御手段によるフィルタ特性の適応的な調整動作が再生状態の異常（ドロップアウトやヘッド目詰まり等）を原因として発散してしまう現象は、磁気ヘッドごとに発生する場合が多い。つまり、ＶＴＲのＬヘッドの再生信号に異常が発生してフィルタ特性が発散してしまう場合でも、Ｒヘッドの再生信号は正常であり、十分収束可能なことが多い。
この信号再生装置は、前述のように磁気ヘッド毎に独立に特性を補償するため、Ｌヘッドのフィルタ特性が発散しても、Ｒヘッドのフィルタ特性は正常に収束できる。すなわち、正常なヘッドチャンネルの再生信号に対するフィルタ特性が、異常をきたしたヘッドチャンネルの再生信号の影響を受けて発散するような不具合が発生しない。そして、発散したフィルタ特性を初期値に戻すリセット手段もヘッドチャンネルごとに行い、異常をきたしたヘッドチャンネルの制御信号のみがリセットされるため、本発明に関連する第１の発明の信号再生装置よりも、リセット動作時のデータの欠損が少なく、極めて良好な信号再生装置を提供できる。
【００３６】
また、本発明に関連する第５の本発明は、記録媒体に記録された信号から第１の再生信号をそれぞれ検出する複数の記録信号検出手段と、その複数の記録信号検出手段が出力する複数の第１の再生信号を、切り換え信号によって切り換えて時分割多重し、第２の再生信号を出力する切り換え手段と、第２の再生信号の振幅が所定の振幅レベルになるよう、各記録信号検出手段に対応する再生信号毎に独立に振幅調整する振幅調整手段と、その振幅調整手段の出力信号を復号する復号手段と、その復号手段の入出力信号から各記録信号検出手段に対応する再生信号毎の誤差を検出する誤差検出手段と、その検出された誤差に基づいて振幅調整手段の増幅率を各記録信号検出手段に対応する再生信号毎に独立に、所定の初期値に戻すリセット動作を行うリセット手段とを備えた信号再生装置である。
【００３７】
この信号再生装置によれば、記録信号検出手段ごとに検出した誤差信号をもとに、記録信号検出手段毎に個別に振幅調整用の制御信号が生成される。このため、ある記録信号検出手段が再生した再生信号（以下、再生信号Ａ）の振幅特性に最適化された制御信号が、別の記録信号検出手段が再生した再生信号（以下、再生信号Ｂ）に切り替わったときに再び再生信号Ｂの振幅特性に制御信号を最適化する必要がない。このため、振幅調整手段の振幅調整動作は、常に記録信号検出手段ごとの最適な調整がなされている。
上述した１８０度対向に磁気ヘッドが搭載されたヘリカルスキャン型ＶＴＲを例に説明すると、再生信号は磁気テープに接している磁気ヘッド（記録信号検出手段）の再生信号のみをヘッドスイッチ信号によって切り換えて時分割多重して得られる。本発明に関連する第５の発明の信号再生装置によれば、この再生信号を振幅調整手段でもって、各磁気ヘッドの再生信号ごとに振幅特性を補償する。この振幅調整動作は、振幅調整手段の出力を復号するときの誤差より各磁気ヘッドの再生信号ごとに生成される制御信号をもとに行われる。これにより、磁気ヘッドの性能の違いやアジマス差のために生じるヘッドごとの振幅特性のばらつきを考慮した最適な振幅調整が可能となる。また、振幅調整手段による振幅特性の自動調整動作が、再生状態の異常（ドロップアウトやヘッド目詰まり等）を原因として発散してしまう現象は、磁気ヘッドごとに発生する場合が多い。つまり、ＶＴＲのＬヘッドの再生信号に異常が発生して、振幅調整手段の増幅率が発散してしまう場合でも、Ｒヘッドの再生信号は正常であり、十分収束可能で安定な振幅調整がなされていることが多い。
この信号再生装置は、前述のように磁気ヘッド毎に独立の制御信号でもって振幅特性を補償するため、Ｌヘッド用の制御信号が発散しても、Ｒヘッドの制御信号は正常に収束できる。すなわち、正常なヘッドチャンネルの再生信号に対する振幅特性が、異常をきたしたヘッドチャンネルの再生信号の影響を受けて発散するような不具合が発生しない。そして、発散したフィルタ特性を初期値に戻すリセット手段もヘッドチャンネルごとに行い、異常をきたしたヘッドチャンネルの制御信号のみがリセットされるため、上記本発明に関連する第２の発明の信号再生装置よりも、リセット動作時のデータの欠損が少なく、極めて良好な信号再生装置を提供できる。
【００３８】
また、本発明に関連する第６の発明は、記録媒体に記録された信号から第１の再生信号をそれぞれ検出する複数の記録信号検出手段と、その複数の記録信号検出手段が出力する複数の第１の再生信号を、切り換え信号によって切り換えて時分割多重し、第２の再生信号を出力する切り換え手段と、第２の再生信号を復号する復号手段と、各記録信号検出手段に対応する再生信号毎に同期したクロックを生成するクロック発生手段と、復号手段の入出力信号から各記録信号検出手段に対応する再生信号毎の誤差を検出する誤差検出手段と、その検出された誤差に基づいてクロック発生手段が出力するクロックの周波数を各記録信号検出手段に対応する再生信号毎に独立に所定の初期周波数に戻すリセット動作を行うリセット手段とを備えた信号再生装置である。
【００３９】
この信号再生装置によれば、記録信号検出手段ごとに検出した誤差信号をもとに、記録信号検出手段毎に個別にクロック発生手段の周波数調整用の制御信号が生成される。このため、ある記録信号検出手段が再生した再生信号（以下、再生信号Ａ）の再生レートに最適化された制御信号が、別の記録信号検出手段が再生した再生信号（以下、再生信号Ｂ）に切り替わったときに再び再生信号Ｂの再生レートに制御信号を最適化する必要がない。このため、クロック発生手段の周波数調整動作は、常に記録信号検出手段ごとの最適な調整がなされている。
上述した１８０度対向に磁気ヘッドが搭載されたヘリカルスキャン型ＶＴＲを例に説明すると、再生信号は磁気テープに接している磁気ヘッド（記録信号検出手段）の再生信号のみをヘッドスイッチ信号によって切り換えて時分割多重して得られる。本発明に関連する第６の発明の信号再生装置によれば、この再生信号をクロック発生手段でもって、各磁気ヘッドの再生信号ごとの再生レートにあった周波数のクロックを発生させている。この周波数調整動作は、再生信号を復号するときの誤差信号より各磁気ヘッドの再生信号ごとに生成される制御信号をもとに行われる。一般に、ＶＴＲ等の再生装置ではトラック角に対してヘッド角を右・左の交互に傾けて記録するアジマス記録がなされている。このアジマス記録は隣接するトラックからのクロストークを軽減するために用いられる手法で、公知な技術である。このように記録されたテープを早送りや巻き戻しのサーチモードで再生すると、アジマスの異なるヘッドでは再生レートが異なってくることが知られている。
この信号再生装置の構成であれば、ある磁気ヘッドが再生した再生信号の再生レートに最適化された制御信号が、別の磁気ヘッドが再生した再生信号に切り替わったときに再び制御信号を最適化する必要がない。これにより、アジマス差のために生じるヘッドごとの再生レートの変化の違いを考慮した最適なクロック発生が可能となる。また、クロック発生手段によるクロック周波数の自動調整動作が、再生状態の異常（ドロップアウトやヘッド目詰まり及び再生レートの変化等）を原因として発散してしまう現象は、磁気ヘッドごとに発生する場合が多い。つまり、ＶＴＲのＬヘッドの再生信号に異常が発生して、クロック発生手段のクロック周波数が発散してしまう場合でも、Ｒヘッドの再生信号は正常であり、十分収束可能で安定な周波数調整動作がなされていることが多い。
この信号再生装置は、前述のように磁気ヘッド毎に独立の制御信号でもってクロックの発生を行っているため、Ｌヘッド用の制御信号が発散しても、Ｒヘッドの制御信号は正常に収束できる。すなわち、正常なヘッドチャンネルのクロック周波数制御信号が、異常をきたしたヘッドチャンネルの再生信号の影響を受けて発散するような不具合が発生しない。そして、発散したヘッドチャンネルのクロック周波数を初期周波数に戻すリセット手段もヘッドチャンネルごとに行い、異常をきたしたヘッドチャンネルの制御信号のみがリセットされるため、本発明に関連する第３の発明の信号再生装置よりも、リセット動作時のデータの欠損が少なく、極めて良好な信号再生装置を提供できる。
【００４６】
【発明の実施の形態】
以下、本発明の信号再生装置の実施の形態について、テープ巻き付け角が１８０度のヘリカルスキャン型ディジタルビデオテープレコーダを例にとり、図面を参照しながら説明する。
【００４７】
図１は、本発明の一実施の形態における再生装置の構成を示すブロック図である。
【００４８】
図１において、ＶＴＲのメカブロック１内の回転シリンダ上の対向する位置に磁気ヘッド２，３が設けられている。磁気テープに記録された磁気信号は磁気ヘッド２，３により電気信号に変換され、再生信号として出力される。ここで、磁気ヘッド２が磁気テープに接している間に再生される再生信号を再生信号Ｌとし、磁気ヘッド３が磁気テープに接している間の再生信号を再生信号Ｒとすると、再生アンプ４，５によりそれぞれ増幅された後、切り替え器６によってヘッドスイッチ信号（ＨＳＷ）１３毎に時分割多重され、再生信号ＬＲとなって出力される。つまり、ＨＳＷは再生信号Ｌが出力されている間”Ｈｉｇｈ”で、再生信号Ｒが出力されている間”Ｌｏｗ”の信号であって、ＨＳＷが”Ｈｉｇｈ”のとき、切り換え器６の入力は再生アンプ４の出力側が選択され、”Ｌｏｗ”のとき再生アンプ５の出力側が選択されることによって、再生信号ＬＲを得ている。この再生信号ＬＲは、振幅調整手段としての自動ゲイン制御アンプ７（ＡＧＣ）に入力され、磁気ヘッドと磁気テープのあたり変動やトラック曲がり等で発生する再生信号のエンベロープ変動が補償される。ここで、磁気ヘッド２，３が複数の記録信号検出手段であり、上述の再生信号Ｌ及び再生信号Ｒが第１の再生信号であり、それら再生信号Ｌ、Ｒが切り替え器６により時分割多重された再生信号ＬＲが第２の再生信号である。
【００４９】
このＡＧＣについては極めて一般的で公知な技術であるため、その詳細な説明は省略するが、本実施の形態記載のＡＧＣは各磁気ヘッドの再生信号ごとに独立してゲイン制御を行うので、それに関して図２をもとに説明する。
【００５０】
図２は、本実施の形態におけるＡＧＣ７の一具体例を示すブロック図である。図２において、後述する誤差検出手段としての減算器１０によって検出された誤差信号から、振幅誤差検出器２０が所定の振幅レベルとの差を検出して、振幅誤差信号を出力する。ゲイン制御器２１，２２は、振幅誤差信号が目標の振幅レベルより小さいことを示す場合は増加し、目標の振幅レベルより大きいことを示す場合は減少するような所定のゲイン制御信号を出力する。そして、ゲイン制御器２１，２２から出力されるゲイン制御信号は、切り換え器２３によってＨＳＷが”Ｈｉｇｈ”のときゲイン制御器２１の出力が、”Ｌｏｗ”のときゲイン制御器２２の出力が選択されるように切り換えられて出力される。乗算器２４で、切り換え器２３が出力するゲイン制御信号に従い、所定の増幅率が再生信号に掛けられ出力される。ところで、前述のゲイン制御器２１はＨＳＷ信号が”Ｈｉｇｈ”のときのみのゲイン制御信号を更新しており、ＨＳＷ信号が”Ｌｏｗ”の区間は”Ｈｉｇｈ”から”Ｌｏｗ”に切り替わる直前のゲイン制御信号でホールドされている。つまり、ゲイン制御器２１は、磁気ヘッド２が再生する再生信号Ｌに関してのみ振幅調整を行うためのゲイン制御信号を出力している。また、同様に前述のゲイン制御器２２はＨＳＷ信号が”Ｌｏｗ”のときのみのゲイン制御信号を更新しており、ＨＳＷ信号が”Ｈｉｇｈ”の区間は”Ｌｏｗ”から”Ｈｉｇｈ”に切り替わる直前のゲイン制御信号でホールドされている。つまり、ゲイン制御器２２は、磁気ヘッド３が再生する再生信号Ｒに関してのみ振幅調整を行うためのゲイン制御信号を出力している。
【００５１】
そして、ＡＧＣ７には後述する再生信号Ｌ（Ｌｃｈ）用リセット信号及び再生信号Ｒ（Ｒｃｈ）用リセット信号が、それぞれ入力されており、Ｌｃｈ用リセット信号が”Ｌｏｗ”になったときに、ゲイン制御器２１の出力するゲイン制御信号を初期レベルに戻して再生信号Ｌ用の増幅率を初期増幅率にもどす。また、Ｒｃｈ用リセット信号が”Ｌｏｗ”になったときは、ゲイン制御器２２の出力するゲイン制御信号が初期レベルに戻され、再生信号Ｒ用の増幅率を初期増幅率にもどす。以上の構成によって、ＡＧＣ７は、再生信号ＬＲについて磁気ヘッドごと（再生信号Ｌ及び再生信号Ｒごと）独立に振幅が所定のレベルになるように補正し、かつ増幅率を所定の初期値に戻すリセット動作も磁気ヘッドごと独立に行うことができる。このため、磁気ヘッド２が再生した再生信号Ｌの振幅特性に最適化されたゲイン制御信号が、磁気ヘッド３が再生した再生信号Ｒに切り替わったときに再び再生信号Ｒの振幅特性に制御信号を最適化する必要がないので、ＡＧＣ７の振幅調整動作は、常に磁気ヘッドごとの最適な調整がなされている。また、ＡＧＣ７による振幅の自動調整動作が、再生状態の異常（ドロップアウトやヘッド目詰まり等）を原因として発散してしまう現象は、磁気ヘッドごとに発生する場合が多い。つまり、例えば再生信号Ｌに異常が発生して、ゲイン制御器２１のゲイン制御信号が発散してしまう場合でも、再生信号Ｒは正常であり、十分収束可能で安定な振幅調整がなされていることが多い。
【００５２】
本構成のＡＧＣを用いれば、上述のように磁気ヘッドごと独立の制御信号でもって振幅特性を補償するため、例えばＬヘッド用の制御信号が発散しても、Ｒヘッドの制御信号は正常に収束でき、かつリセット動作もＬヘッド用のゲイン制御器のみが行うため、ＡＧＣによる振幅調整動作が発散したときに起こるデータの欠損を最小限にできる。
【００５３】
上記のように再生信号ＬＲは、ＡＧＣ７によってヘッドチャンネルごとに振幅変動が補償された後、イコライザの主要部となる図１のフィルタ８に供給される。このフィルタ８としては、一般的にいわゆるＦＩＲ（有限インパルス応答）フィルタあるいはトランスバーサルフィルタが用いられ、そのフィルタ特性が後述する適応制御部１１により適応的に調整されるようになっている。このフィルタ８からの出力信号は、復号手段としてのコンパレータ９によってレベル比較された後、記録時のデータ系列への復号が行われる。もとの記録データに復号された信号は、後段に設けられる信号処理回路によって、映像及び音声データ等にもどされる。減算器（誤差検出器）１０は、コンパレータ９の出力からイコライザのフィルタ８の出力を減算することで誤差を取り出し、この誤差を適応制御部１１に送っている。適応制御部１１には、フィルタ８への入力も同時に入力されており、再生ヘッドチャンネルごとに減算器１０からの誤差の信号パワーを最小とするようにフィルタ８のタップ係数を修整、更新することで、再生信号ＬＲの特性が検出特性に最も近い形となるようにイコライザ特性を調整する。すなわち、フィルタ８と適応制御部１１とで、いわゆる適応フィルタを構成している。
【００５４】
その適応処理のアルゴリズムは、例えばＬＭＳ（リーストミーンスクウェア、最小自乗平均法）があげられる。ＬＭＳについては既に幅広く用いられている公知な方式であるので、その詳細な説明は省略するが、本実施の形態の適応フィルタはヘッドチャンネルごとに再生信号の特性を補償する構成であるので、その点について図３を用いて説明する。
【００５５】
図３は、本実施の形態における適応フィルタの一具体例を示すブロック図である。図３において、フィルタ８は１クロック遅延素子３０とタップ係数３１から３５で構成されたＮタップのトランスバーサルフィルタで構成されている。入力される再生信号は、１クロック遅延素子３０によって１クロックずつディレイされる。このディレイされた各再生信号をt0からtnのタップ係数できまる割合で、加算器３６において足し合わせることによって任意の特性のフィルタが構成できる。フィルタ８の出力は、コンパレータ９によってレベル比較されたのち、復号される。そして、コンパレータ９の入出力から減算器１０によって検出された誤差信号と、フィルタ８に入力される再生信号が、タップ係数適応制御器３７，３８に入力されている。そして、タップ係数適応制御器３７，３８は、上記誤差信号の信号パワーを最小とするようＬＭＳアルゴリズムによって、フィルタ８のタップ係数を修整、更新させるようにタップ係数制御信号を出力する。
【００５６】
そして、タップ係数適応制御器３７，３８から出力されるタップ係数制御信号は、切り換え器３９によってＨＳＷが”Ｈｉｇｈ”のときタップ係数適応制御器３７の出力が、”Ｌｏｗ”のときタップ係数適応制御器３８の出力が選択されるように切り換えられて出力される。こうして、再生信号の特性が、ヘッドチャンネルごと検出特性に最も近い形となるように、イコライザ特性が調整される。ところで、タップ係数適応制御器３７はＨＳＷ信号が”Ｈｉｇｈ”のときのみのタップ係数制御信号を更新しており、ＨＳＷ信号が”Ｌｏｗ”の区間は”Ｈｉｇｈ”から”Ｌｏｗ”に切り替わる直前のタップ係数制御信号でホールドされている。つまり、タップ係数適応制御器３７は、磁気ヘッド２が再生する再生信号Ｌに関してのみフィルタ特性の適応的な調整を行うためのタップ係数制御信号を出力している。また、同様にタップ係数適応制御器３８はＨＳＷ信号が”Ｌｏｗ”のときのみのを更新しており、ＨＳＷ信号が”Ｈｉｇｈ”の区間は”Ｌｏｗ”から”Ｈｉｇｈ”に切り替わる直前のタップ係数制御信号でホールドされている。つまり、タップ係数適応制御器３８は、磁気ヘッド３が再生する再生信号Ｒに関してのみフィルタ特性の適応的な調整を行うためのタップ係数制御信号を出力している。
【００５７】
そして、適応制御部１１には後述する再生信号Ｌ（Ｌｃｈ）用リセット信号及び再生信号Ｒ（Ｒｃｈ）用リセット信号が、それぞれ入力されており、Ｌｃｈ用リセット信号が”Ｌｏｗ”になったときに、タップ係数適応制御器３７の出力するタップ係数制御信号を初期値に戻し、再生信号Ｌ用のフィルタ特性を初期特性にもどす。また、Ｒｃｈ用リセット信号が”Ｌｏｗ”になったときは、タップ係数適応制御器３８の出力するタップ係数制御信号を初期値に戻し、再生信号Ｒ用のフィルタ特性を初期特性にもどす。
【００５８】
以上の構成によって、本実施の形態の適応フィルタは、前述の再生信号ＬＲの特性をヘッドチャンネルごと（再生信号Ｌ及び再生信号Ｒごと）独立に補正し、かつフィルタのタップ係数を所定の初期値に戻すリセット動作もヘッドチャンネルごと独立に行うことができる。
【００５９】
このため、磁気ヘッド２が再生した再生信号Ｌのイコライズ特性に最適化されたタップ係数制御信号が、磁気ヘッド３が再生した再生信号Ｒに切り替わったときに再び再生信号Ｒの特性に制御信号を最適化する必要がないので、適応フィルタの適応的な調整動作は、常に磁気ヘッドごとの最適な調整がなされている。また、適応フィルタによる適応的な調整動作が、再生状態の異常（ドロップアウトやヘッド目詰まり等）を原因として発散してしまう現象は、磁気ヘッドごとに発生する場合が多く、例えば再生信号Ｌに異常が発生して、タップ係数適応制御器３７のタップ係数制御信号が発散してしまう場合でも、再生信号Ｒは正常であり、十分収束可能で安定なフィルタ特性の調整がなされていることが多い。
【００６０】
本構成の適応フィルタを用いれば、前述のように磁気ヘッドごと独立のタップ係数制御信号でもってフィルタ特性を調整するため、例えばＬヘッド用の制御信号が発散しても、Ｒヘッドの制御信号は正常に収束でき、かつリセット動作もＬヘッド用のタップ係数適応制御器のみに対して行われるため、適応フィルタによる適応的な調整動作が発散したときに起こるデータの欠損を最小限にできる。
【００６１】
次に、図１のＰＬＬ１２について説明する。ＰＬＬ１２は位相誤差検出器・ループフィルタ・ＶＣＯ（電圧制御型発振器）から構成されたいわゆるＰＬＬ（Phase Locked Loop ）回路であり、その構成方法及び動作についても既に公知であるので詳細な説明は省略するが、本実施の形態のＰＬＬ回路は、ヘッドチャンネルごとにクロック周波数の制御を行う構成になっているので、それに関して図４を用いて説明する。
【００６２】
図４は、本実施の形態におけるＰＬＬ１２の一具体例を示すブロック図である。図４において、減算器１０から出力される誤差信号をもとに、周波数及び位相誤差検出器５０が、再生信号とＶＣＯクロックとの周波数ずれ（周波数誤差）及び位相ずれ（位相誤差）を検出したのち、ループフィルタ５１，５２によってＶＣＯ制御信号を得る。そして、ループフィルタ５１，５２から出力されるＶＣＯ制御信号は、切り換え器５３によってＨＳＷが”Ｈｉｇｈ”のときループフィルタ５１の出力が、”Ｌｏｗ”のときループフィルタ５２の出力が選択されるように切り換えられて出力される。この切り換え器５３が出力するＶＣＯ制御信号の電圧レベルの変化でもって、ＶＣＯの発振クロックの位相及び周波数が制御される。以上のようなＰＬＬ回路の動作により、再生信号のレートと等しい周波数で、かつ同期したクロックがヘッドチャンネルごとに生成される。ところで、上記のループフィルタ５１はＨＳＷ信号が”Ｈｉｇｈ”のときのみのＶＣＯ制御信号を更新しており、ＨＳＷ信号が”Ｌｏｗ”の区間は”Ｈｉｇｈ”から”Ｌｏｗ”に切り替わる直前のＶＣＯ制御信号でホールドされている。つまり、ループフィルタ５１は、磁気ヘッド２が再生する再生信号Ｌに関してのみ周波数及びクロック位相の調整を行うためのＶＣＯ制御信号を出力している。また、同様に上記ループフィルタ５２はＨＳＷ信号が”Ｌｏｗ”のときのみのＶＣＯ制御信号を更新しており、ＨＳＷ信号が”Ｈｉｇｈ”の区間は”Ｌｏｗ”から”Ｈｉｇｈ”に切り替わる直前のＶＣＯ制御信号でホールドされている。つまり、ループフィルタ５２は、磁気ヘッド３が再生する再生信号Ｒに関してのみ周波数及びクロック位相の調整を行うためのＶＣＯ制御信号を出力している。
【００６３】
そして、ＰＬＬ１２には後述する再生信号Ｌ（Ｌｃｈ）用リセット信号及び再生信号Ｒ（Ｒｃｈ）用リセット信号が、それぞれ入力されており、Ｌｃｈ用リセット信号が”Ｌｏｗ”になったときに、ループフィルタ５１の出力するＶＣＯ制御信号を初期レベルに戻して再生信号Ｌ用のクロック周波数を初期周波数にもどす。また、Ｒｃｈ用リセット信号が”Ｌｏｗ”になったときは、ループフィルタ５２の出力するＶＣＯ制御信号が初期レベルに戻され、再生信号Ｒ用のクロック周波数を初期周波数にもどす。以上の構成によって、ＰＬＬ１２は、上述の再生信号ＬＲについて磁気ヘッドごと（再生信号Ｌ及び再生信号Ｒごと）独立にクロック周波数及び位相が調整され、所定のクロックになるよう生成され、かつ周波数を所定の初期周波数に戻すリセット動作も磁気ヘッドごと独立に行うことができる。
【００６４】
一般にＶＴＲ等の記録再生装置では、トラック角に対してヘッド角を左に傾けて記録するトラック（Ｌアジマストラック）と右に傾けて記録するトラック（Ｒアジマストラック）を交互に記録するアジマス記録がなされる。通常再生時は、Ｌ、Ｒアジマストラックとも記録レートに等しい同じ再生レートで再生されるため、クロック周波数も等しくなる。しかし、早送りや巻き戻しのサーチ時ではアジマスの違いにより、Ｌアジマストラックの再生信号のレートとＲアジマストラックの再生信号のレートは異なってしまう。例えば、早送りの時では、Ｌアジマストラックの再生信号のレートはＲアジマストラックのレートに比べ高くなる。このような場合に、１つのループフィルタでもってクロックを再生していると、トラックが切り替わるたびに、ＶＣＯ制御信号をそれぞれのトラックに最適化するような無駄な動作がループフィルタに発生する。そして、この動作はＰＬＬ制御の不連続が発生したことと等化であるので、これを原因にＰＬＬ制御が発散してしまったりする。
【００６５】
本実施の形態のＰＬＬの構成であれば、ループフィルタ５１，５２でもって、ヘッドチャンネルごと独立にＶＣＯ制御信号を生成しているため、例えば磁気ヘッド２が再生した再生信号Ｌの再生レートに最適化されたＶＣＯ制御信号が、磁気ヘッド３が再生した再生信号Ｒに切り替わったときに再び再生信号Ｒの再生レートに制御信号を最適化する必要がないので、ＰＬＬ１２の周波数及び位相の調整動作は、常に磁気ヘッドごとの最適な調整がなされている。また、ＰＬＬ１２によるＰＬＬ制御動作が、再生状態の異常（ドロップアウトやヘッド目詰まり等）を原因として発散してしまう現象は、磁気ヘッドごとに発生する場合が多い。つまり、再生信号Ｌに異常が発生して、ループフィルタ５１のＶＣＯ制御信号が発散してしまう場合でも、再生信号Ｒは正常であり、十分収束可能で安定なＰＬＬ制御がなされていることが多い。本構成のＰＬＬ１２を用いれば、前述のように磁気ヘッドごと独立の制御信号でもってＰＬＬ制御を行うため、例えばＬヘッド用の制御信号が発散しても、Ｒヘッドの制御信号は正常に収束でき、かつリセット動作もＬヘッド用のループフィルタのみに対して行われるため、ＰＬＬ制御動作が発散したときに起こるデータの欠損を最小限にできる。
【００６６】
なお、コンパレータ９はＶＣＯ５４が出力する再生クロックの周期で処理されていることは言うまでもない。
【００６７】
次に、図１のリセット発生器１４について説明する。リセット発生器１４は減算器１０が出力する誤差信号をもとに、再生信号の異常を検出し、“上記適応フィルタのタップ係数”及び“ＰＬＬ１２が発生するクロックの周波数”及び“ＡＧＣ７の増幅率”を所定の初期値に戻す、リセット信号を出力する。
【００６８】
以下に、図５を参照しながらリセット発生器１４について説明する。図５はリセット発生器の具体的な一例を示すブロック図である。
【００６９】
図５において、端子６０より入力された等化誤差信号は、誤差信号量検出手段としてのＡＢＳ６１によって絶対値をとり出力される。ＡＢＳ６１の出力は、ローパスフィルタ６２によって所定の高域成分が除去される。そして異常誤差量検出手段としてのコンパレータ６３によって、所定のレベル（図ではＡ）より大きければ”Ｌｏｗ”で、それ以外なら”Ｈｉｇｈ”となる第１のリセット信号が出力される。また、端子６４からは図１のＰＬＬ回路より出力される再生クロックが入力されている。カウンタ６５は、コンパレータ６３の出力である第１のリセット信号が”Ｌｏｗ”の時のみカウントアップし、端子６６より入力されるヘッドスイッチ信号（ＨＳＷ）のエッジごとゼロに初期化されている。すなわち、カウンタ６５は、ＨＳＷのエッジ周期ごとに、上記第１のリセット信号が出力されている時間を検出している。一方カウンタ６８は、カウンタ６５と同様にＨＳＷのエッジごとゼロに初期化され、ＨＳＷのエッジ周期ごとの再生クロック数をカウントして、ＨＳＷエッジ間クロック数を出力している。そして、除算器６９及び減算器７０によって、
（１−１／Ｘ）×”ＨＳＷエッジ間クロック数”
のリセット信号抑制閾値が求められる。コンパレータ７１では上記第１のリセット信号が出力された時間をカウントしたクロック数が、上記リセット信号抑制閾値より多ければ”Ｌｏｗ”、少なければ”Ｈｉｇｈ”となる第２のリセット信号が出力される。つまり、カウンタ６５，６８および除算器６９、減算器７０、コンパレータ７１で第１のリセット抑制器を構成している。
【００７０】
そして、５トラック監視カウンタ７２によって、ＨＳＷの”Ｈｉｇｈ”の区間（磁気ヘッド２が再生信号Ｌを再生している区間）に、上記第２のリセット信号が５トラック連続して出力されたときのみ、所定の時間”Ｌｏｗ”となるＬチャンネル用第３のリセット信号を出力する。
【００７１】
同様に、５トラック監視カウンタ７４によって、ＨＳＷの”Ｌｏｗ”の区間（磁気ヘッド３が再生信号Ｒを再生している区間）に、上記第２のリセット信号が５トラック連続して出力されたときのみ、所定の時間”Ｌｏｗ”となるＲチャンネル用第３のリセット信号を出力する。
【００７２】
つまり、５トラック監視カウンタ７２，７４によって、ヘッドごとに５トラック連続して第２のリセット信号が出力されたときのみ、リセット信号を出力する第２のリセット抑制器が構成されている。
【００７３】
つぎに、トラックカウンタ７５は所定のトラック数（以下トラック数Ｙ）をカウントするカウンタで、トラック数Ｙに達すればカウントを停止して”Ｌｏｗ”を出力し、達していなければカウントを続行し”Ｈｉｇｈ”を出力している。そして、ＯＲ回路７６より”Ｌｏｗ”が入力されたときのみ、カウンタの値をゼロに初期化する。上記Ｌ及びＲチャンネル用第３のリセット信号が”Ｌｏｗ”であっても、トラックカウンタ７５のカウンタ値がトラック数Ｙに達していなければＯＲ回路７６の出力は”Ｈｉｇｈ”になるようなＬ及びＲチャンネル用第４のリセット信号が出力される。つまり、５トラック監視カウンタ７２，７４より第３のリセット信号が一度出力されれば、トラックカウンタ７５とＯＲ回路７６でもって、カウンタの値が上記トラック数Ｙになるまでの間、次のリセット信号が出力されるのを抑制されるような第３のリセット抑制器が構成されている。
【００７４】
このような構成により出力されたＬ及びＲチャンネル用第４のリセット信号は、Ｌｃｈ用リセット信号及びＲｃｈ用リセット信号として、図１で示した適応制御部１１及びＡＧＣ７及びＰＬＬ１２におくられ、フィルタ８のタップ係数やＡＧＣ７のアンプのゲインやＰＬＬ１２のＶＣＯの発振周波数が、所定の初期値に磁気ヘッドの再生信号ごとに初期化される。
【００７５】
以上の構成によって、何らかの再生信号の異常を原因として発散してしまった適応フィルタの特性やＰＬＬ回路の発振周波数やＡＧＣのゲインを復帰させ、速やかに収束せしめることが可能となり、さらに従来例のようなシンク・ＩＤ情報の“ある”・“なし”でフィルタ手段の特性をリセットする構成でないので、フィルタ手段以外の回路ブロックの異常によって誤ってフィルタの特性等をリセットする誤動作が発生しない。さらに、再生データよりシンク・ＩＤ情報を検出する必要がなく、異なるフォーマットに対して共通の回路構成で実現でき、フォーマット毎のシンク・ＩＤ情報のデータテーブルも必要でないため、非常に簡単で小規模な回路構成で実現可能な再生装置を提供できる。
【００７６】
また、本発明の請求項１〜３に言うリセット抑制機能を有する上記第１のリセット抑制器によって、ヘッドスイッチの周期が増減しても、同じ比率でリセット信号抑制閾値が変化するので、ヘッドスイッチ周期が長いときにリセット信号が出力されやすくなったり、逆にヘッドスイッチ周期が短いときに、リセット信号が出力されにくくなるような、ヘッドスイッチの周期のちがいによるリセット信号の出力状態の違いを解消することができる。つまりリセット信号が、ヘッドスイッチの周期が変化しても、その周期に応じて所定の同じ割合の時間分だけ発生するときのみリセット動作を許可するリセット抑制器を具備することで、ヘッドスイッチ周期が変わったときに発生する上記リセット信号の出力状態の違いを解消し、発散してしまったフィルタ特性をより安定的に速やかに復帰せしめる再生装置を提供できる。
【００７７】
さらに、本発明の請求項１〜３に言うリセット抑制手段を有する上記第２のリセット抑制器によって、５トラック連続するときのみリセット信号が出力されるため、磁気ヘッドの瞬間的な目詰まりやテープのドロップアウトなどによって、一時的に等化誤差信号のレベルが異常になり、収束可能な再生状態にあるにもかかわらずリセット動作を行ってしまうような誤動作が発生しない。そして、ヘッドごとにリセット信号を検出しているため、一つの磁気ヘッドが再生する再生信号に異常があってリセット動作が行われても、他方のチャンネルが正常であればリセットされることがない。
【００７８】
このため、リセット動作時のデータの欠損が少なく、極めて良好な再生装置を提供でき、前述の誤動作を確実に回避し、発散してしまったフィルタ特性をより安定的かつ速やかに復帰せしめる再生装置を提供できる。
【００７９】
そして、本発明の請求項４に言うリセット抑制手段である第３のリセット抑制器によって、１度リセット動作を行ったら所定の時間リセット動作を禁止されている。これは、フィルタの特性等が一度初期値に戻されると、あらたに最適な特性に収束するまでの間、しばらく等化誤差のレベルが正常でない場合がある。
【００８０】
このような収束途中であるのにかかわらず、上記コンパレータ６３が誤検出してしまい再びフィルタ特性をリセットするような誤動作が発生することがある。すなわち、リセット信号が出力され、１度リセット動作が行われた後、初期特性から最適特性に収束するために十分な所定の時間だけリセット動作を禁止するリセット抑制手段を具備することで、上記誤動作を確実に回避し、発散してしまったフィルタ特性をより安定的に速やかに復帰せしめる再生装置を提供できる。
【００８１】
なお、図５のなかの５トラック監視カウンタ７２，７４は、５トラックのトラック数に限定されるものでなく、システムの性能により任意に選択される。また、本実施の形態では、リセット信号がＡＧＣ７、適応制御部１１、ＰＬＬ１２の全てに供給される例を挙げたが、これに限定されるものでなく、システムの構成に従って任意の組み合わせが選択できる。
【００８２】
また、上記実施の形態では、記録媒体に記録された信号から第１の再生信号を検出する記録信号検出手段の数を２つとして説明したが、これに限らず、１つ、あるいは３つ以上の構成でも適用可能である。
【００８３】
さらに、本実施例では、磁気テープの記録媒体を例に説明したが、本発明は、この記録媒体に限定するものでなく、磁気ディスクや、光ディスク等の他の記録媒体に対しても同様な効果が得られる。
【００８４】
【発明の効果】
以上述べたところから明らかなように本発明は、適応フィルタのタップ係数が何らかの原因で発散したときに、等化誤差を常にモニタし、その状態に応じてタップ係数を所定の初期値に戻すことで、発散してしまったタップ係数を正常に戻し、適応フィルタの適応制御動作を速やかに復帰・収束せしめることができるという長所を有する。
【００８５】
また、本発明は、従来例で問題となるような適応フィルタ以外の回路ブロックに異常がある場合に適応フィルタのタップ係数をリセットするような誤動作が発生することもなく、従来例に比べ極めて汎用性の高い再生装置を小規模回路で構成できるという利点がある。
【図面の簡単な説明】
【図１】本発明の一実施の形態による信号再生装置の構成を示すブロック図である。
【図２】同実施の形態に用いられるＡＧＣ回路の具体例を示すブロック図である。
【図３】同実施の形態に用いられる適応フィルタの具体例を示すブロック図である。
【図４】同実施の形態に用いられるＰＬＬ回路の具体例を示すブロック図である。
【図５】同実施の形態に用いられるリセット信号発生器の具体例を示すブロック図である。
【図６】従来技術の再生装置の構成を示すブロック回路図である。
【符号の説明】
２、３  磁気ヘッド
７  自動ゲイン制御アンプ（ＡＧＣ）
８、９３  フィルタ（イコライザ）
９、９４  コンパレータ
１０、９５  減算器（誤差検出器）
１１、９６  適応制御部
１２  ＰＬＬ回路
１４  リセット発生器
２０  振幅誤差検出器
６７  エッジ検出器
１００  シンク検出
１０１  システムコントローラ
【図１】
0003811319.tif 000002
【図２】
0003811319.tif 000003
【図３】
0003811319.tif 000004
【図４】
0003811319.tif 000005
【図５】
0003811319.tif 000006
【図６】
0003811319.tif 000007